(57)【要約】【課題】防水機能を持たせることも可能であり、且つ、ケーブルを引き抜く方向に向かう力がコンタクトに加わった場合にもコンタクトの抜け落ちを防止することのできるコネクタを提供すること。【解決手段】コネクタは、ケーブル５０を夫々接続される複数のコンタクト１００と、前後方向（Ｘ方向：第１方向）に沿って挿入されたコンタクト１００を収容するハウジング２００と、前後方向に沿ってハウジング２００に挿入され且つハウジング２００に保持されるリテーナ３００とを備える。リテーナ３００は、前後方向に沿ったコンタクト１００のハウジング２００に対する挿入を許容する仮位置と、上下方向（Ｚ方向：第２方向）において仮位置とは異なる固定位置との２つの位置をとり得るように、ハウジング２００に保持されている。仮位置から固定位置へ移動すると、リテーナ３００はコンタクト１００をハウジング２００の内部に保持固定する。【選択図】図１６
2012003871.tif 000002
【特許請求の範囲】
【請求項１】
複数のコンタクトと、第１方向に沿って挿入された前記コンタクトを収容するハウジングと、前記第１方向に沿って前記ハウジングに挿入され且つ前記ハウジングに保持されるリテーナとを備えるコネクタであって、
前記リテーナは、前記第１方向に沿った前記コンタクトの前記ハウジングに対する挿入を許容する仮位置と、前記第１方向に直交する第２方向において前記仮位置とは異なる固定位置であって前記コンタクトを前記ハウジングの内部に保持固定する固定位置とをとりうるように、前記ハウジングに保持されている
コネクタ。
【請求項２】
請求項１記載のコネクタであって、
前記リテーナには、リテーナ係合部が設けられており、
前記ハウジングには、前記第２方向において前記リテーナ係合部と係合して前記リテーナを前記仮位置に位置させる仮係合部と、前記第２方向において前記リテーナ係合部と係合して前記リテーナを前記固定位置に位置させる本係合部とが形成されており、
前記第２方向において前記リテーナ係合部と前記仮係合部とを係合させた状態で前記コンタクトを前記第１方向に沿って前記ハウジングに対して挿入した後、前記リテーナ係合部と前記仮係合部との係合を解除して前記第２方向に沿って前記リテーナを前記仮位置から前記固定位置に移動させると共に前記第２方向において前記リテーナ係合部と前記本係合部とを係合させることにより前記リテーナを前記固定位置に維持するように構成されたコネクタ。
【請求項３】
請求項２記載のコネクタであって、
前記ハウジングには、ハウジング係合部が設けられており、
前記ハウジング係合部は前記第２方向において２つの係合面を有しており、
前記係合面の一方は前記仮係合部として機能し、前記係合面の他方は前記本係合部として機能する
コネクタ。
【請求項４】
請求項３記載のコネクタであって、
前記リテーナには、前記リテーナが前記仮位置にあるとき、前記リテーナ係合部と共に前記ハウジング係合部を前記第２方向において挟持する挟持部が更に設けられている
コネクタ。
【請求項５】
請求項３又は請求項４記載のコネクタであって、
前記リテーナは、前記第１方向に沿って延びる２つのアーム部を備えており、
前記リテーナ係合部は、前記アーム部の前記第１方向における先端に位置しており、且つ、前記第１方向及び前記第２方向の双方に直交する第３方向において外側に向かって突出するように形成されており、
前記ハウジングには、前記アーム部を収容可能なアーム部収容部が形成されており、
前記アーム部収容部の前記第１方向における先端近傍には前記第３方向に撓み可能な弾性部が設けられており、
前記弾性部には、前記第３方向において内側に突出するように前記ハウジング係合部が形成されている
コネクタ。
【請求項６】
請求項５記載のコネクタであって、
前記アーム部は、前記第３方向における移動・変形を規制された状態で前記アーム部収容部に収容されている
コネクタ。
【請求項７】
請求項１乃至請求項６のいずれかに記載のコネクタであって、
前記リテーナには、被ガイド部が形成されており、
前記ハウジングには、前記被ガイド部の前記第１方向に沿った移動をガイドするガイド部が形成されており、
前記ガイド部は、前記リテーナが前記仮位置に至るまで前記被ガイド部の前記第２方向への移動を規制しつつ前記第１方向への移動をガイドする一方で前記リテーナが前記仮位置に至ると前記被ガイド部の前記第２方向への移動を許容するように構成されている
コネクタ。
【請求項８】
請求項７記載のコネクタであって、
前記被ガイド部は、前記第１方向及び前記第２方向の双方に直交する第３方向に突出し且つ前記第１方向に沿って延びる突条形状を有しており、
前記ガイド部は、第２方向における前記被ガイド部の大きさに応じて前記第２方向において離間して且つ互いに対向するようにして設けられた第１規制部及び第２規制部を備えており、
前記第１規制部と前記第２規制部との間に前記被ガイド部を通すようにして前記リテーナを移動させることにより、前記リテーナは、前記第１方向に沿って前記仮位置に向けてガイドされる
コネクタ。
【請求項９】
請求項８記載のコネクタであって、
前記リテーナには、前記被ガイド部の端部近傍に干渉部が形成されており、
前記干渉部は、前記リテーナを前記仮位置に位置させる際に前記第２規制部を乗り越えるように構成されており、
前記リテーナが前記仮位置から前記ハウジングの外部に向けて戻ろうとしても前記干渉部が前記第２規制部に干渉して前記リテーナの前記第１方向に沿った移動が防止される
コネクタ。
【請求項１０】
請求項１乃至請求項９のいずれかに記載のコネクタであって、
前記第１方向は、前記コネクタの前後方向であり、
前記コンタクトは、前記第１方向に沿って前記ハウジングの後端から前記ハウジングの内部に向けて挿入されるものであり、
前記リテーナは、前記第１方向に沿って前記ハウジングの後端から前記仮位置に向けて挿入されるものであり、
前記コネクタは、前記第１方向に沿って前記ハウジングの前端に取り付けられるフロントキャップを更に備えており、
前記フロントキャップには、前記第１方向に沿って延びる伝達突起が設けられており、
前記伝達突起は、前記フロントキャップの前記ハウジングへの取り付けに際して、前記フロントキャップの前記第１方向に沿った移動を前記第２方向に沿った力に変換して前記リテーナに伝達することにより、前記リテーナを前記仮位置から前記固定位置に向けて移動させる
コネクタ。
【請求項１１】
請求項１０記載のコネクタであって、
前記伝達突起の先端には、前記第１方向と前記第２方向の双方に斜交する伝達面が設けられており、
前記フロントキャップの前記第１方向に沿った移動の際に前記伝達面が前記リテーナに押し付けられることにより、前記リテーナが前記仮位置から前記固定位置まで移動させられる
コネクタ。
【発明の詳細な説明】
【技術分野】
【０００１】
本発明は、複数のコンタクトをハウジング内部にリテーナにて保持固定するコネクタに関する。
【背景技術】
【０００２】
この種のコネクタとしては、例えば、特許文献１に開示されたものがある。特許文献１に開示されたコネクタは、ケーブルを夫々接続される複数のコンタクトと、コンタクトを収容するハウジングと、コンタクトをハウジング内部に保持固定するためのスペーサ（リテーナ）と、ハウジング内部においてコンタクトの前端側を保持するフロントホルダとを備えている。ハウジングには、その底部において開口し且つスペーサを収容するためのスペーサ収容部が形成されている。ケーブルの接続されたコンタクトがハウジングの後端側からハウジングの内部に収容された後、ハウジングの底部側からスペーサ収容部にスペーサを挿入することで、コンタクトがハウジング内部に保持固定される。
【０００３】
なお、防水機能を有するコネクタとしては、特許文献２に開示されたものがある。特許文献２のコネクタは、リテーナと呼ばれる部材を備えている。しかし、特許文献２のリテーナは特許文献１のコネクタのフロントホルダに相当する部材であり、特許文献１のスペーサ（リテーナ）に相当する部材は特許文献２には設けられていない。
【先行技術文献】
【特許文献】
【０００４】
【特許文献１】特開２００３−１７１７４号公報
【特許文献２】特開２００３−１２３８９０号公報
【発明の概要】
【発明が解決しようとする課題】
【０００５】
特許文献１のコネクタでは、ハウジングの底部にリテーナ収容用の開口部が形成されていることから、特許文献２のコネクタのように防水機能を持たせることはできない。
【０００６】
一方、特許文献２のコネクタには、特許文献１のようなスペーサ（リテーナ）が設けられていないことから、ケーブルを引き抜く方向に向かう力がコンタクトに加わった際にコンタクトが破損して抜けてしまう恐れがある。
【０００７】
そこで、本発明は、防水機能を持たせることも可能であり、且つ、ケーブルを引き抜く方向に向かう力がコンタクトに加わった場合にもコンタクトの抜け落ちを防止することのできるコネクタを提供することを目的とする。
【課題を解決するための手段】
【０００８】
本発明によれば、第１のコネクタとして、
複数のコンタクトと、第１方向に沿って挿入された前記コンタクトを収容するハウジングと、前記第１方向に沿って前記ハウジングに挿入され且つ前記ハウジングに保持されるリテーナとを備えるコネクタであって、
前記リテーナは、前記第１方向に沿った前記コンタクトの前記ハウジングに対する挿入を許容する仮位置と、前記第１方向に直交する第２方向において前記仮位置とは異なる固定位置であって前記コンタクトを前記ハウジングの内部に保持固定する固定位置とをとりうるように、前記ハウジングに保持されている
コネクタが得られる。
【０００９】
また、本発明によれば、第２のコネクタとして、第１のコネクタであって、
前記リテーナには、リテーナ係合部が設けられており、
前記ハウジングには、前記第２方向において前記リテーナ係合部と係合して前記リテーナを前記仮位置に位置させる仮係合部と、前記第２方向において前記リテーナ係合部と係合して前記リテーナを前記固定位置に位置させる本係合部とが形成されており、
前記第２方向において前記リテーナ係合部と前記仮係合部とを係合させた状態で前記コンタクトを前記第１方向に沿って前記ハウジングに対して挿入した後、前記リテーナ係合部と前記仮係合部との係合を解除して前記第２方向に沿って前記リテーナを前記仮位置から前記固定位置に移動させると共に前記第２方向において前記リテーナ係合部と前記本係合部とを係合させることにより前記リテーナを前記固定位置に維持するように構成されたコネクタが得られる。
【００１０】
また、本発明によれば、第３のコネクタとして、第２のコネクタであって、
前記ハウジングには、ハウジング係合部が設けられており、
前記ハウジング係合部は前記第２方向において２つの係合面を有しており、
前記係合面の一方は前記仮係合部として機能し、前記係合面の他方は前記本係合部として機能する
コネクタが得られる。
【００１１】
また、本発明によれば、第４のコネクタとして、第３のコネクタであって、
前記リテーナには、前記リテーナが前記仮位置にあるとき、前記リテーナ係合部と共に前記ハウジング係合部を前記第２方向において挟持する挟持部が更に設けられている
コネクタが得られる。
【００１２】
また、本発明によれば、第５のコネクタとして、第３又は第４のコネクタであって、
前記リテーナは、前記第１方向に沿って延びる２つのアーム部を備えており、
前記リテーナ係合部は、前記アーム部の前記第１方向における先端に位置しており、且つ、前記第１方向及び前記第２方向の双方に直交する第３方向において外側に向かって突出するように形成されており、
前記ハウジングには、前記アーム部を収容可能なアーム部収容部が形成されており、
前記アーム部収容部の前記第１方向における先端近傍には前記第３方向に撓み可能な弾性部が設けられており、
前記弾性部には、前記第３方向において内側に突出するように前記ハウジング係合部が形成されている
コネクタが得られる。
【００１３】
また、本発明によれば、第６のコネクタとして、第５のコネクタであって、
前記アーム部は、前記第３方向における移動・変形を規制された状態で前記アーム部収容部に収容されている
コネクタが得られる。
【００１４】
また、本発明によれば、第７のコネクタとして、第１乃至第６のいずれかのコネクタであって、
前記リテーナには、被ガイド部が形成されており、
前記ハウジングには、前記被ガイド部の前記第１方向に沿った移動をガイドするガイド部が形成されており、
前記ガイド部は、前記リテーナが前記仮位置に至るまで前記被ガイド部の前記第２方向への移動を規制しつつ前記第１方向への移動をガイドする一方で前記リテーナが前記仮位置に至ると前記被ガイド部の前記第２方向への移動を許容するように構成されている
コネクタが得られる。
【００１５】
また、本発明によれば、第８のコネクタとして、第７のコネクタであって、
前記被ガイド部は、前記第１方向及び前記第２方向の双方に直交する第３方向に突出し且つ前記第１方向に沿って延びる突条形状を有しており、
前記ガイド部は、第２方向における前記被ガイド部の大きさに応じて前記第２方向において離間して且つ互いに対向するようにして設けられた第１規制部及び第２規制部を備えており、
前記第１規制部と前記第２規制部との間に前記被ガイド部を通すようにして前記リテーナを移動させることにより、前記リテーナは、前記第１方向に沿って前記仮位置に向けてガイドされる
コネクタが得られる。
【００１６】
また、本発明によれば、第９のコネクタとして、第８のコネクタであって、
前記リテーナには、前記被ガイド部の端部近傍に干渉部が形成されており、
前記干渉部は、前記リテーナを前記仮位置に位置させる際に前記第２規制部を乗り越えるように構成されており、
前記リテーナが前記仮位置から前記ハウジングの外部に向けて戻ろうとしても前記干渉部が前記第２規制部に干渉して前記リテーナの前記第１方向に沿った移動が防止される
コネクタが得られる。
【００１７】
また、本発明によれば、第１０のコネクタとして、第１乃至第９のいずれかのコネクタであって、
前記第１方向は、前記コネクタの前後方向であり、
前記コンタクトは、前記第１方向に沿って前記ハウジングの後端から前記ハウジングの内部に向けて挿入されるものであり、
前記リテーナは、前記第１方向に沿って前記ハウジングの後端から前記仮位置に向けて挿入されるものであり、
前記コネクタは、前記第１方向に沿って前記ハウジングの前端に取り付けられるフロントキャップを更に備えており、
前記フロントキャップには、前記第１方向に沿って延びる伝達突起が設けられており、
前記伝達突起は、前記フロントキャップの前記ハウジングへの取り付けに際して、前記フロントキャップの前記第１方向に沿った移動を前記第２方向に沿った力に変換して前記リテーナに伝達することにより、前記リテーナを前記仮位置から前記固定位置に向けて移動させる
コネクタが得られる。
【００１８】
また、本発明によれば、第１１のコネクタとして、第１０のコネクタであって、
前記伝達突起の先端には、前記第１方向と前記第２方向の双方に斜交する伝達面が設けられており、
前記フロントキャップの前記第１方向に沿った移動の際に前記伝達面が前記リテーナに押し付けられることにより、前記リテーナが前記仮位置から前記固定位置まで移動させられる
コネクタが得られる。
【発明の効果】
【００１９】
本発明によるリテーナはコンタクトのハウジングへの挿入方向（第１方向：前後方向）と同様の方向からハウジング内に挿入されるものである。即ち、特許文献１のコネクタのように挿入方向と直交する方向に開口した部位がリテーナ挿入用に設けられているわけではない。従って、例えば、リテーナに続いてハウジング内にシール部材を挿入することにより、簡単に防水機能を付加することができる。
【００２０】
また、本発明によるリテーナは、ハウジング内にて仮位置と固定位置とをとり得るものであり、仮位置にあるリテーナを挿入方向と直交する方向へ移動させることにより、固定位置に移動させてコンタクトをハウジング内に保持固定することとしたため、ケーブルを引き抜くような方向（挿入方向の逆方向）に向かう力がケーブルを通じてコンタクトに伝わった場合でもコンタクトの抜け落ちがリテーナによって防止され得る。
【図面の簡単な説明】
【００２１】
【図１】本発明の実施の形態によるコネクタを示す分解斜視図である。
【図２】図１のコネクタを示す斜視図である。
【図３】図１のコネクタに含まれるコンタクトを示す斜視図である。
【図４】図１のコネクタに含まれるハウジングを示す斜視図である。
【図５】図４のハウジングの一部を示す拡大斜視図である。
【図６】図４のハウジングを示す正面図である。
【図７】図６のハウジングの一部を示す拡大正面図である。
【図８】図６のハウジングをVIII--VIII線に沿って示す断面図である。
【図９】図１のコネクタに含まれるリテーナを示す斜視図である。
【図１０】図９のリテーナをＸ--Ｘ線に沿って示す断面図である。
【図１１】ハウジングへリテーナを挿入する過程の一状態を示す一部切り欠き斜視断面図である。
【図１２】図１１の状態に続く状態を示す一部切り欠き斜視断面図である。
【図１３】図１２の状態に続く状態を示す一部切り欠き斜視断面図である。
【図１４】図１３の状態の一部を示す拡大正面図である。
【図１５】図１３の状態におけるコネクタを示す斜視断面図である。但し、コンタクトは未だ挿入されていない。
【図１６】図１５のコネクタに対してコンタクトが挿入された状態を示す斜視断面図である。
【図１７】図１３の状態に続く状態を示す一部切り欠き斜視断面図である。
【図１８】図１７の状態の一部を示す拡大正面図である。
【図１９】図１７の状態におけるコネクタを示す斜視断面図である。但し、コンタクトは未だ挿入されていない。
【図２０】図１９のコネクタに対してコンタクトが挿入された状態を示す斜視断面図である。
【図２１】図１のコネクタに含まれるフロントキャップを示す断面図である。
【図２２】フロントキャップの取り付け工程を示す断面図である。ここで、リテーナは仮位置にある。
【図２３】フロントキャップが取り付けられたコネクタを示す断面図である。ここでリテーナは固定位置にある。
【発明を実施するための形態】
【００２２】
図１及び図２を参照すると、本発明の実施の形態によるコネクタ１０は、防水機能を有するものであり、ケーブル５０に接続されたコンタクト１００と、コンタクト１００を収容する絶縁体からなるハウジング２００と、ハウジング２００に収容される絶縁体からなるリテーナ３００と、ハウジング２００に保持されるゴムからなる第１シール部材（グロメット）４００と、ハウジング２００に保持される絶縁体からなるリアカバー５００と、ハウジング２００の前側に取り付けられるゴムからなる第２シール部材（シーリング）６００と、ハウジング２００の前端に取り付けられる絶縁体からなるフロントキャップ７００とを備えている。
【００２３】
図３を参照すると、コンタクト１００は、一枚の金属板を打ち抜き・折り曲げ形成して得られるものであり、前後方向（Ｘ方向：第１方向）に延びる角筒状のボックス部１１０と、ボックス部１１０の上部（ボックス部１１０のＺ方向（第２方向）における一方の部位）に設けられた開口部からなる被係止部１２０と、ボックス部１１０の後方に設けられた被保持部１３０と、被保持部１３０の更に後方に設けられケーブル５０の導体５２と接続される接続部１４０と、接続部１４０の後方においてケーブル５０の絶縁体（被覆部）５４を把持する把持部１５０とを備えている。このコンタクト１００は、後述するように、前後方向に沿ってハウジング２００の内部に挿入される。
【００２４】
ここで、図３から明らかなように、本実施の形態によるコンタクト１００は、雌コンタクトである。しかしながら、本発明はこれに限定されるわけではなく、後述するリテーナ３００との関係で被保持部１３０として機能する部位を有する限り、雄コンタクトであってもよい。
【００２５】
図４乃至図８を参照すると、ハウジング２００は、主部２１０と、前後方向と直交する平面内において主部２１０に対して間隔を設けられたフード部２２０と、相手方コネクタ（図示せず）との嵌合時に相手方コネクタに設けられるロック部と協動して嵌合状態を維持するためのロックレバー２２５とを備えている。
【００２６】
図８に最もよく示されているように、主部２１０には、ハウジング２００の前端２０１から後方に向けて延びるコンタクト収容部２１２と、コンタクト収容部２１２の後方に位置するリテーナ収容部２３０と、リテーナ収容部２３０の後方に位置するシール部材収容部２４０と、シール部材収容部２４０の後方に位置するリアカバー収容部２５０が設けられている。ここで、コンタクト収容部２１２は、コンタクト１００のボックス部１１０を主として収容する部位であり、リテーナ収容部２３０は、リテーナ３００の主部３１０（後述）を収容する部位であり、シール部材収容部２４０は、第１シール部材４００を収容する部位であり、リアカバー収容部２５０は、リアカバー５００を収容する部位である。
【００２７】
図８から明らかなように、コンタクト収容部２１２は、リテーナ収容部２３０、シール部材収容部２４０及びリアカバー収容部２５０を介して、ハウジング２００の後端２０２まで通じている。ハウジング２００の主部２１０の内部には、コンタクト収容部２１２内において斜め下前方に向かって延びるランス２１４が形成されている。このランス２１４は、コンタクト収容部２１２に対してハウジング２００の後端２０２側からコンタクト１００が挿入された際に、ボックス部１１０の上部に形成された被係止部１２０に係止して、コンタクト１００が後方に抜けてしまう（−Ｘ方向）に移動してしまうことを防止するための部位である。
【００２８】
図６及び図８から理解されるように、左右方向（Ｙ方向：第３方向）におけるリテーナ収容部２３０の両側には、Ｘ方向に延びるアーム部収容部２３２が形成されている。各アーム部収容部２３２は、前端２０１まで延びている。即ち、各アーム部収容部２３２は、ハウジング２００の前端２０１とリテーナ収容部２３０とを連通している。
【００２９】
図４乃至図７に示されるように、各アーム部収容部２３２の前端（Ｘ方向における先端）近傍であって左右方向（Ｙ方向：第３方向）の外側には左右方向に撓み可能な弾性部２６０が設けられている。本実施の形態における弾性部２６０は、板片状の形状を有している。各弾性部２６０には、左右方向の内側に向かって突出するハウジング係合部２７０が形成されている。各ハウジング係合部２７０は、上下方向（Ｚ方向：第２方向）に２つの係合面２７２、２７４を有している。
【００３０】
図８や図１１乃至図１３及び図１７に示されるように、本実施の形態によるアーム部収容部２３２にはガイド部２８０が更に設けられている。このガイド部２８０は、リテーナ収容部２３０の左右方向の両側から前方に向かって延びる第１規制部２８２と、リテーナ収容部２３０の左右方向の両側に位置する第２規制部２８４からなる。第１規制部２８２と第２規制部２８４とは、上下方向において互いに離間して且つ対向するようにして設けられている。特に、各第２規制部２８４は、上下方向に延びると共に左右方向の内側に向かって突出している。本実施の形態による各第２規制部２８４は、前後方向及び左右方向の双方に斜交する面を後側に有しており、上下方向に直交する面内において略５角形の断面を有している。
【００３１】
図９及び図１０を参照すると、リテーナ３００は、主部３１０と、主部３１０の左右方向の両側から前方に向かって延びる略板状のアーム部３２０とを備えている。ここで、主部３１０の前後方向及び左右方向におけるサイズは、リテーナ収容部２３０のサイズに対応している。一方、主部３１０の上下方向におけるサイズは、リテーナ収容部２３０のサイズよりも小さい。そのため、主部３１０は、図８、図１５及び図１９から理解されるように、リテーナ収容部２３０内において、上下方向に移動可能となっている。
【００３２】
図９及び図１０に示されるように、主部３１０には、貫通孔３１２と保持部３１４とが形成されている。これら貫通孔３１２及び保持部３１４は、コンタクト収容部２１２に対応して設けられている。図１０に示されるように、貫通孔３１２は、主部３１０を前後方向において貫通している。図９及び図１０に示されるように、保持部３１４は、貫通孔３１２の前端上部近傍から前方に向かって突出するように延びている。この保持部３１４は、最終的には、コンタクト１００の被保持部１３０の後方に位置し、コンタクト１００をハウジング２００内に保持固定するためのものである。
【００３３】
図１１乃至図１４並びに図１７及び図１８を参照すると、アーム部３２０の上下方向におけるサイズは、アーム部収容部２３２の主要部（ガイド部２８０を除く部位）における上下方向の最小サイズよりも小さい。即ち、本実施の形態によるアーム部収容部２３２は、図１３及び図１７から理解されるように、第２規制部２８４よりも前方においてアーム部３２０が上下に移動可能なスペースを有している。
【００３４】
図９に示されるように、アーム部３２０には被ガイド部３３０が形成されている。被ガイド部３３０は、アーム部３２０の上端に位置している。また、被ガイド部３３０は、左右方向の外側に向かって突出しており、且つ、前後方向に沿って延びている。この被ガイド部３３０を含めたアーム部３２０の左右方向における厚みは、図１１乃至図１３及び図１７と図１４及び図１８から理解されるように、アーム部収容部２３２の左右方向のサイズに対応している。従って、アーム部３２０はアーム部収容部２３２に収容されると、アーム部３２０の左右方向における移動や変形が規制される。
【００３５】
また、被ガイド部３３０の上下方向における大きさは、図１１乃至図１３及び図１７から理解されるように、ハウジング２００のガイド部２８０を構成する第１規制部２８２と第２規制部２８４との間の距離に対応している。そのため、被ガイド部３３０を第１規制部２８２と第２規制部２８４との間に挿入した場合には、被ガイド部３３０の上下方向への移動が規制される。これにより、被ガイド部３３０の前後方向に沿った移動は、ガイド部２８０によりガイドされる。
【００３６】
図９を再び参照すると、アーム部３２０には、干渉部３４０が形成されている。干渉部３４０は、アーム部３２０の後端近傍であって被ガイド部３３０の下側に位置している。また、干渉部３４０は、前後方向及び左右方向の双方に斜交する面を前側に有しており、上下方向に直交する面内（水平面内）において略５角形の断面を有している。この干渉部３４０の形状により、第２規制部２８４の後側に位置している干渉部３４０が第２規制部２８４を乗り越えて前方に移動することは比較的容易である一方、その乗り越えの結果として第２規制部２８４の前側にある干渉部３４０が第２規制部２８４を超えて後側に移動しようとしても（戻ろうとしても）第２規制部２８４に干渉するので困難になっている。
【００３７】
更に、アーム部３２０には被押圧部３２２及び凹部３２５が形成されている。本実施の形態による被押圧部３２２は、アーム部３２０の前端側の上部に位置しており、前後方向及び上下方向の双方に斜交している。また、本実施の形態による凹部３２５は、アーム部３２０の比較的前端に近い位置に位置しており、アーム部３２０を左右方向に貫通している。
【００３８】
図９を参照すると、アーム部３２０の先端（詳しくは、被ガイド部３３０の前方）にはリテーナ係合部３５０と挟持部３６０とが形成されている。
【００３９】
図９に示されるように、リテーナ係合部３５０は、左右方向の外側に向かって突出し且つ前後方向に延びる突条形状を有している。このリテーナ係合部３５０は、ガイド部２８０により被ガイド部３３０がガイドされてリテーナ３００がハウジング２００内に水平移動してきた際に、ハウジング係合部２８０の上側の係合面２７２上に位置するように、配置されている。なお、リテーナ係合部３５０がハウジング係合部２８０の係合面２７２に当接しているときのリテーナ３００の位置を本実施の形態においては「仮位置」という。換言すると、係合面２７２は、リテーナ係合部３５０と係合することにより、リテーナ３００を仮位置に位置させる仮係合部として機能している。
【００４０】
リテーナ３００が仮位置に至るまで水平移動する（Ｘ方向に沿って移動する）際に、前述のように、干渉部３４０が第２規制部２８４を乗り越える。そのため、例えば、図１３に示されるように、被ガイド部３３０は、ガイド部２８０による上下方向の移動（詳しくは、第２規制部２８４による下方向への移動）の規制を解除されている。
【００４１】
リテーナ３００が仮位置にあるとき、図１５及び図１６に示されるように、リテーナ３００の主部はリテーナ収容部２３０内において比較的上側に位置している。このとき、保持部３１４は、コンタクト１００のハウジング２００内部への挿入を許容する（阻害しない）位置に位置している。
【００４２】
図９に示されるように、挟持部３６０は、リテーナ係合部３５０と同様に、左右方向の外側に向かって突出し且つ前後方向に延びる突条形状を有している。リテーナ係合部３５０と挟持部３６０とは、上下方向において離間して設けられている。リテーナ係合部３５０と挟持部３６０との間の上下方向における距離は、ハウジング２００のハウジング係合部２７０の上下方向における大きさに対応している。従って、ハウジング係合部２７０の上側の係合面２７２上にリテーナ係合部３５０が位置しているとき（リテーナ３００が仮位置に位置しているとき）、挟持部３６０は、ハウジング係合部２７０の下側の係合面２７４に当接している。即ち、ハウジング係合部２７０の上側の係合面２７２上にリテーナ係合部３５０が位置しているとき、ハウジング係合部２７０はリテーナ係合部３５０と挟持部３６０とで挟持される。この挟持により、仮位置に位置しているリテーナ３００のガタつきが防止される。
【００４３】
上述したように、アーム部収容部２３２の主たる部分の上下方向におけるサイズは、アーム部３２０の上下方向のサイズよりも大きい。従って、リテーナ係合部３５０と係合面（仮係合部）２７２との係合が解除された場合には、アーム部３２０は、上下方向に（特に本実施の形態においては下方向に）移動可能である。アーム部３２０が下方向に移動すると、リテーナ３００が仮位置にあったときと比較して、リテーナ係合部３５０とハウジング係合部２７０との上下が逆転し、ハウジング係合部２７０の下側の係合面２７４がリテーナ係合部３５０に係合することになる。このときのリテーナ３００の位置を「固定位置」という。換言すると、係合面２７４は、リテーナ係合部３５０と係合することにより、リテーナ３００を固定位置に位置させる本係合部として機能している。なお、この説明及び図１４及び図１８から明らかなように、仮位置と固定位置とは上下方向において異なっている。
【００４４】
リテーナ３００が固定位置にあるとき、図１９及び図２０に示されるように、リテーナ３００の主部はリテーナ収容部２３０内において比較的下側に位置している。このとき、保持部３１４は、コンタクト収容部２１２に収容されたコンタクト１００のボックス部１１０の後側に位置しており、コンタクト１００を後方へ抜こうとした場合には、被保持部１３０と当接して、そのようなコンタクト１００の移動を阻害する。換言すると、リテーナ３００が固定位置にあるとき、保持部３１４が被保持部１３０の後側に位置しており、コンタクト１００はハウジング２００内に保持固定されている。
【００４５】
図８、図１５及び図１９を参照すると、リアカバー５００はリアカバー収容部２５０のサイズに対応しており、第１シール部材４００は前後方向と直交する面内においてシール部材収容部２４０のサイズよりも若干大きい。このため、第１シール部材４００は、シール部材収容部２４０に収容されると、前後方向と直交する面内において若干圧縮される。図１、図１５及び図１９を参照すると、第１シール部材４００には複数の貫通孔４１０が形成されており、リアカバー５００には複数の貫通孔５１０が形成されている。これら貫通孔４１０と貫通孔５１０とは、図１５及び図１９に示されるように、リテーナ３００の貫通孔３１２と対応している。即ち、これら貫通孔４１０及び貫通孔５１０は、コンタクト収容部２１２とも対応している。
【００４６】
図１５及び図１９に示されるように、リテーナ３００、第１シール部材４００及びリアカバー５００をハウジング２００のリテーナ収容部２３０、シール部材収容部２４０及びリアカバー収容部２５０内に収容した状態において、コンタクト収容部２１２は、貫通孔３１２、４１０、５１０を通して、ハウジング２００の後端２０２まで通じている。
【００４７】
リテーナ３００が仮位置にあるとき、図１５に示されるように、保持部３１４はコンタクト１００の前後方向における移動を許容する位置にある。従って、図１６に示されるように、コンタクト１００をハウジング２００の後端２０２からハウジング２００内に挿入することができる。
【００４８】
なお、図１６に示された状態では、ランス２１４がコンタクト１００の被係止部１２０に係止しているが他にコンタクト１００が後方（−Ｘ方向）に向かうことを防止する手段はない
【００４９】
ここで、図１５、図１６、図１９及び図２０から理解されるように、コンタクト収容部２１２、貫通孔４１０及び貫通孔５１０は、保持すべきコンタクト１００又はケーブル５０の部位に対応したサイズ又は若干小さいサイズを有している。従って、コンタクト１００又はケーブル５０は、コンタクト収容部２１２、貫通孔４１０及び貫通孔５１０内においては上下左右には移動できない。これに対して、リテーナ３００の貫通孔３１２は、対応するコンタクト１００及びケーブル５０の部位よりも大きい。従って、リテーナ３００がハウジング２００内において上下方向に移動してもコンタクト１００及びケーブルが貫通孔３１２の内壁によって好ましくない圧力を受けることはない。
【００５０】
図１６に示されるようにリテーナ３００が仮位置にあり且つコンタクト１００がハウジング２００内に挿入された状態において、アーム部３２０に対して下方向（−Ｚ方向）に向かう力を加えると、弾性部２６０が左右方向の外側に撓み、それによってリテーナ係合部３５０とハウジング係合部２７０との係合が解除される。その結果、リテーナ３００は下方向に向かって（−Ｚ方向に沿って）仮位置から固定位置に移動する。図２０に示されるように、リテーナ３００が固定位置にあるとき、保持部３１４が被保持部１３０の後側に位置する。これにより、コンタクト１００は、ランス２１４に加え、保持部３１４によっても後方への移動を防止されている。従って、ランス２１４のみによる場合と比較して、リテーナ３００があることから、コンタクト１００の抜け落ち防止がより確実なものとなっている。加えて、本実施の形態によるリテーナ３００はコンタクト１００の挿入方向（前後方向：第１方向）に沿ってハウジング２００内に挿入され、且つ、その後ろから第１シール部材４００及びリアカバー５００を取り付けることとしていることから、特許文献１のコネクタと異なり、リテーナ３００の組み込みが防水機能を設ける際の障害となることがない。
【００５１】
図１に示されるように、第２シール部材６００は、環状である。即ち、第２シール部材６００に設けられている開口は一つのみである。第２シール部材６００は、図１５、図１６、図１９及び図２０に示されるように、ハウジング２００の主部２１０の周囲であってフード部２２０内に取り付けられる。この第２シール部材６００は、相手方コネクタ（図示せず）とコネクタ１０との嵌合時に圧縮されそれによってシーリング機能を発揮するためのものである。
【００５２】
図１及び図２１に示されるように、フロントキャップ７００は、略バット（ｖａｔ）状の主部７１０と、前後方向に沿って主部７１０を貫通する貫通孔７２０と、各貫通孔７２０の上側から後方に向かって延びる押え突起７３０と、主部の左右方向の両側壁から内側に向けて突出した凸部７４０と、主部７１０から後方に向かって延びる伝達突起７５０とを備えている。このフロントキャップ７００は、主部７１０にてハウジング２００の主部２１０の前端２０１をカバーするように、ハウジング２００に対して取り付けられる。貫通孔７２０は、コンタクト収容部２１２に対応している。押え突起７３０は、コンタクト１００の組み込まれたハウジング２００に対してフロントキャップ７００が取り付けられた際に、コンタクト収容部２１２内に収容される。これにより、コンタクト１００のボックス部１１０の上部が押え突起７３０により押えられるため、コンタクト１００のガタつきが更に防止される。凸部７４０は、フロントキャップ７００がハウジング２００に対して取り付けられた際にアーム部３２０の凹部３２５に対して嵌る部位である。
【００５３】
フロントキャップ７００の伝達突起７５０は、前述したようなリテーナ３００を仮位置から固定位置に移動させるための冶具的な役割を担うものであり、左右方向において、配置された貫通孔７２０の両外側に位置している。即ち、伝達突起７５０は、左右方向においてアーム部３２０に対応するようにして設けられている。なお、伝達突起７５０の上下方向における位置は、アーム部３２０の上下方向における位置よりも少し上である。
【００５４】
図２１に示されるように、各伝達突起７５０の先端の下側には、前後方向（Ｘ方向）と上下方向（Ｚ方向）の双方に斜交する伝達面７５２が形成されている。この伝達面７５２は、アーム部３２０の被押圧部３２２を押圧する部位であり、伝達突起７５０の前後方向へ向かう移動を被押圧部３２２を介してリテーナ３００のアーム部３２０に対して下方向に向かう力として伝達するためのものである（図２２参照）。この伝達突起７５０の前後方向に沿ったハウジング２００への挿入により、リテーナ３００は仮位置から固定位置に向けて移動させられる（図２２及び図２３参照）。
なお、本発明は、上述した伝達面７５２及び被押圧部３２２に限定されるわけではなく、伝達面７５２又は被押圧部３２２のいずれか一方のみが前後方向（Ｘ方向）と上下方向（Ｚ方向）の双方に斜交することとしたり、双方とも丸くしたりしてもよいが、フロントキャップ７００のハウジング２００への取り付けの際の前後方向に沿った力を下方向に向かう力としてリテーナ３００に対して効率よく伝達することができるためには、本実施の形態のように双方とも前後方向（Ｘ方向）と上下方向（Ｚ方向）の双方に斜交することとした方が望ましい。
【００５５】
以上、本発明の実施の形態について具体的に説明してきたが、本発明はこれに限定されるものではない。例えば、実施の形態によるコネクタは防水機能を有するものであったが、本発明は防水機能を有さない特許文献１のコネクタのようなものにも適用可能である。
【００５６】
また、上述した実施の形態によるコネクタはフロントキャップを有するものであったが、本発明はフロントキャップを有さないタイプのコネクタに対しても適用可能である。この場合、例えば、コネクタの前端側から冶具を挿入して、リテーナを仮位置から固定位置まで又はその逆に移動させることとすればよい。
【符号の説明】
【００５７】
１０        コネクタ
５０        ケーブル
５２        導体
５４        絶縁体
１００        コンタクト
１１０        ボックス部
１２０        被係止部
１３０        被保持部
１４０        接続部
１５０        把持部
２００        ハウジング
２０１        前端
２０２        後端
２１０        主部
２１２        コンタクト収容部
２１４        ランス
２２０        フード部
２２５        ロックレバー
２３０        リテーナ収容部
２３２        アーム部収容部
２４０        シール部材収容部
２５０        リアカバー収容部
２６０        弾性部
２７０        ハウジング係合部
２７２        係合面（仮係合部）
２７４        係合面（本係合部）
２８０        ガイド部
２８２        第１規制部
２８４        第２規制部
３００        リテーナ
３１０        主部
３１２        貫通孔
３１４        保持部
３２０        アーム部
３２２        被押圧部
３２５        凹部
３３０        被ガイド部
３４０        干渉部
３５０        リテーナ係合部
３６０        挟持部
４００        第１シール部材
４１０        貫通孔
５００        リアカバー
５１０        貫通孔
６００        第２シール部材
７００        フロントキャップ
７１０        主部
７２０        貫通孔
７３０        押え突起
７４０        凸部
７５０        伝達突起
７５２        伝達面
【図１】
2012003871.tif 000003
【図２】
2012003871.tif 000004
【図３】
2012003871.tif 000005
【図４】
2012003871.tif 000006
【図５】
2012003871.tif 000007
【図６】
2012003871.tif 000008
【図７】
2012003871.tif 000009
【図８】
2012003871.tif 000010
【図９】
2012003871.tif 000011
【図１０】
2012003871.tif 000012
【図１１】
2012003871.tif 000013
【図１２】
2012003871.tif 000014
【図１３】
2012003871.tif 000015
【図１４】
2012003871.tif 000016
【図１５】
2012003871.tif 000017
【図１６】
2012003871.tif 000018
【図１７】
2012003871.tif 000019
【図１８】
2012003871.tif 000020
【図１９】
2012003871.tif 000021
【図２０】
2012003871.tif 000022
【図２１】
2012003871.tif 000023
【図２２】
2012003871.tif 000024
【図２３】
2012003871.tif 000025